(57)【要約】【課題】近端クロストークを低減させ、その減衰量を所定範囲内に保持する。【解決手段】本発明は、モジュラージャックに嵌合し、ツイストペア線２２を結線させるためのモジュラープラグ２１であって、ハウジング２６と、該ハウジング２６内に嵌設され、複数組の前記ツイストペア線２２を各組毎に分離させるガイドプレート２８と、前記各ツイストペア線の先端部の撚りを解かれた電線にそれぞれ接続される端子３０，３１とを備え、前記各組毎に分離されたツイストペア線２２がそれぞれ前記ハウジング２６の内面と前記ガイドプレート２８との間に収容されるように構成されていることを特徴とし、近端クロストークを低減させ、その減衰量を所定範囲内に保持する。【選択図】　　　　　図２
2004031130.tif 000002
【特許請求の範囲】
【請求項１】
モジュラージャックに嵌合し、ツイストペア線を結線させるためのモジュラープラグであって、
ハウジングと、
該ハウジング内に嵌設され、複数組の前記ツイストペア線を各組毎に分離させるガイドプレートと、
前記各ツイストペア線の先端部の撚りを解かれた電線にそれぞれ接続される端子と、
を備え、前記各組毎に分離されたツイストペア線がそれぞれ前記ハウジングの内面と前記ガイドプレートとの間に収容されるように構成されていることを特徴とするモジュラープラグ。
【請求項２】
前記ガイドプレートには、上下左右に溝部が形成され、該各溝部はそれぞれ隔壁により分離されている請求項１に記載のモジュラープラグ。
【請求項３】
前記隔壁は前記各ツイストペア線を前記ハウジングの内面側に押し広げるように形成されている請求項２に記載のモジュラージャック。
【請求項４】
前記隔壁は、その先端側角部により前記各ツイストペア線を前記ハウジングの内面側に押し広げるように形成されている請求項３に記載のモジュラージャック。
【請求項５】
モジュラージャックに嵌合し、ツイストペア線を結線させるためのモジュラープラグであって、
ハウジングと、
該ハウジング内に嵌設され、第１から第４の４組のツイストペア線の先端部の撚りを解かれた８本の電線を上下複数段に整列保持する貫通孔を有する整列部材と、
前記各ツイストペア線の先端部の撚りを解かれた電線にそれぞれ接続される８個の端子と、
を備え、前記貫通孔は、それぞれ隣接する第１ツイストペア線の内側の電線と第２ツイストペア線の電線、及び第３ツイストペア線の電線と第４ツイストペア線の内側の電線が異なる段に配置され、前記第２及び第３ツイストペア線の各電線がそれぞれ同一の段に並んで配置されるように形成されていることを特徴とするモジュラープラグ。
【請求項６】
前記貫通孔の基端側には、前記各ツイストペア線を前記貫通孔の直近まで撚りを解かずに保持可能な拡幅部が形成されている請求項５に記載のモジュラープラグ。
【請求項７】
モジュラージャックに嵌合し、ツイストペア線を結線させるためのモジュラープラグであって、
ハウジングと、
該ハウジング内に嵌設され、第１から第４の４組のツイストペア線の先端部の撚りを解かれた８本の電線を上下複数段に整列保持する貫通孔を有する整列部材と、
前記ハウジング内の前記整列部材より基端側に嵌設され、前記４組のツイストペア線を各組毎に分離させるガイドプレートと、
前記各ツイストペア線の先端部の撚りを解かれた８本の電線にそれぞれ接続される８個の端子と、
を備え、前記貫通孔は、それぞれ隣接する第１ツイストペア線の内側の電線と第２ツイストペア線の電線、及び第３ツイストペア線の電線と第４ツイストペア線の内側の電線が異なる段に配置され、前記第２及び第３ツイストペア線の各電線がそれぞれ同一の段に並んで配置されるように形成され、
前記４組のツイストペア線がそれぞれ前記ハウジングの内面と前記ガイドプレートとの間に収容されるように構成されていることを特徴とするモジュラープラグ。
【請求項８】
前記ガイドプレートには、上下左右に溝部が形成され、該各溝部はそれぞれ隔壁により分離されている請求項７に記載のモジュラープラグ。
【請求項９】
前記隔壁は前記各ツイストペア線を前記ハウジングの内面側に押し広げるように形成されている請求項８に記載のモジュラージャック。
【請求項１０】
前記隔壁は、その先端側角部により前記各ツイストペア線を前記ハウジングの内面側に押し広げるように形成されている請求項９に記載のモジュラージャック。
【請求項１１】
前記貫通孔の基端側には、前記ツイストペア線を前記貫通孔の直近まで撚りを解かずに保持可能な拡幅部が形成されている請求項７〜１０のいずれか１の請求項に記載のモジュラープラグ。
【発明の詳細な説明】
【０００１】
【発明の属する技術分野】
本発明は、モジュラージャックに嵌合するモジュラープラグに関し、特に、２本の電線を撚って形成されたツイストペア線を結線させるためのモジュラープラグに関する。
【０００２】
【従来の技術】
一般に、電話設備やＬＡＮ（ローカルエリアネットワーク）において使用されるコネクタ部材として、モジュラージャックとモジュラープラグが知られている。このうちモジュラープラグは、モジュラージャックに嵌合し、ケーブル等の複数の電線を結線させるための部材であり、従来のモジュラープラグとしては、例えば、特開平１０−１３４９０３号公報に開示されているものがある。
【０００３】
このモジュラープラグ１は、図１６及び図１７に示されているように、ハウジング２と、該ハウジング２内に嵌設される整列部材３と、前記ハウジング２の前記整列部材３より基端側に嵌設されるガイドプレート４と、ケーブル５の４組のツイストペア線６Ａ，６Ｂ，６Ｃ，６Ｄの撚りを解かれた８本の電線７ａ，７ｂ，７ｃ，７ｄ，７ｅ，７ｆ，７ｇ，７ｈに接続される端子８，９と、絶縁ケース１０とから概略構成されている。
【０００４】
前記ハウジング２は、シールド板１１と、該シールド板１１の先端側に設けられた絶縁部１２とで構成され、該絶縁部１２の先端部には８個のスリット孔１３が穿設されている。また、前記シールド板１１には基端側に延出する圧着部１４が形成されている。前記整列部材３はコの字状断面を有し、該整列部材３には、前記電線７ａ，７ｂ，７ｃ，７ｄ，７ｅ，７ｆ，７ｇ，７ｈと同数、すなわち、８個の貫通孔１５ａ，１５ｂ，１５ｃ，１５ｄ，１５ｅ，１５ｆ，１５ｇ，１５ｈが上下２段に穿設され、該貫通孔１５は隣合う貫通孔１５と段が異なるように上下交互に配置されている。また、前記ガイドプレート４には、前記貫通孔１５より大径の貫通穴１６Ａ，１６Ｂ，１６Ｃ，１６Ｄが、前記ツイストペア線６Ａ，６Ｂ，６Ｃ，６Ｄと同数、すなわち、４個、上下２段に穿設され、前記貫通穴１６は隣合う貫通穴１６と段が異なるように上下交互に配置されている。
【０００５】
このような構成において、前記モジュラープラグ１を組立てるには、先ず、前記ケーブル５を前記絶縁ケース１０に基端側から挿入した状態で、前記４組のツイストペア線６Ａ，６Ｂ，６Ｃ，６Ｄをそれぞれ前記各貫通穴１６Ａ，１６Ｂ，１６Ｃ，１６Ｄに挿入すると共に、撚りを解かれた前記８本の電線７ａ，７ｂ，７ｃ，７ｄ，７ｅ，７ｆ，７ｇ，７ｈを前記各貫通孔１５ａ，１５ｂ，１５ｃ，１５ｄ，１５ｅ，１５ｆ，１５ｇ，１５ｈに挿入する。これにより、前記４組のツイストペア線６Ａ，６Ｂ，６Ｃ，６Ｄは各組毎に分離された状態で前記ガイドプレート４に保持され、前記８本の電線７ａ，７ｂ，７ｃ，７ｄ，７ｅ，７ｆ，７ｇ，７ｈはそれぞれ前記整列部材３に整列保持される。その後、前記各ツイストペア線６及び電線７を保持した前記整列部材３及びガイドプレート４を前記ハウジング２内に嵌設し、前記ケーブル５の外周を圧着部１４により固定する。そして、前記ハウジング２の外側から前記スリット孔１３を介して前記各端子８，９を挿入し、該各端子８，９をそれぞれ前記８本の電線７ａ，７ｂ，７ｃ，７ｄ，７ｅ，７ｆ，７ｇ，７ｈに接続する。
【０００６】
【発明が解決しようとする課題】
一般に、モジュラープラグでは、ノイズ等の障害が発生するのを防止するため、いわゆるクロストークの低減が求められており、近年、特に、近端クロストーク（ＮＥＸＴ）の減衰量に対する要求が厳しくなってきている。ところが、上記した従来のモジュラープラグ１では、近端クロストークの減衰量に対する近年の厳しい要求に答えることができないおそれがあった。
【０００７】
そこで、本発明は、そのような厳しい近端クロストークの減衰量に対する要求を満たすことのできるモジュラープラグを提供しようとするものである。
【０００８】
【課題を解決するための手段】
本発明は、モジュラージャックに嵌合し、ツイストペア線を結線させるためのモジュラープラグであって、ハウジングと、該ハウジング内に嵌設され、複数組の前記ツイストペア線を各組毎に分離させるガイドプレートと、前記各ツイストペア線の先端部の撚りを解かれた電線にそれぞれ接続される端子とを備え、前記各組毎に分離されたツイストペア線がそれぞれ前記ハウジングの内面と前記ガイドプレートとの間に収容されるように構成されていることを特徴とする。
【０００９】
好ましくは、前記ガイドプレートには、上下左右に溝部が形成され、該各溝部はそれぞれ隔壁により分離されている。
【００１０】
また、前記隔壁は前記各ツイストペア線を前記ハウジングの内面側に押し広げるように形成されている。
【００１１】
さらに、前記隔壁は、その先端側角部により前記各ツイストペア線を前記ハウジングの内面側に押し広げるように形成されている。
【００１２】
また本発明は、モジュラージャックに嵌合し、ツイストペア線を結線させるためのモジュラープラグであって、ハウジングと、該ハウジング内に嵌設され、第１から第４の４組のツイストペア線の先端部の撚りを解かれた８本の電線を上下複数段に整列保持する貫通孔を有する整列部材と、前記各ツイストペア線の先端部の撚りを解かれた電線にそれぞれ接続される８個の端子とを備え、前記貫通孔は、それぞれ隣接する第１ツイストペア線の内側の電線と第２ツイストペア線の電線、及び第３ツイストペア線の電線と第４ツイストペア線の内側の電線が異なる段に配置され、前記第２及び第３ツイストペア線の各電線がそれぞれ同一の段に並んで配置されるように形成されていることを特徴とする。
【００１３】
好ましくは、前記貫通孔の基端側には、前記各ツイストペア線を前記貫通孔の直近まで撚りを解かずに保持可能な拡幅部が形成されている。
【００１４】
さらに本発明は、モジュラージャックに嵌合し、ツイストペア線を結線させるためのモジュラープラグであって、ハウジングと、該ハウジング内に嵌設され、第１から第４の４組のツイストペア線の先端部の撚りを解かれた８本の電線を上下複数段に整列保持する貫通孔を有する整列部材と、前記ハウジング内の前記整列部材より基端側に嵌設され、前記４組のツイストペア線を各組毎に分離させるガイドプレートと、前記各ツイストペア線の先端部の撚りを解かれた８本の電線にそれぞれ接続される８個の端子とを備え、前記貫通孔は、それぞれ隣接する第１ツイストペア線の内側の電線と第２ツイストペア線の電線、及び第３ツイストペア線の電線と第４ツイストペア線の内側の電線が異なる段に配置され、前記第２及び第３ツイストペア線の各電線がそれぞれ同一の段に並んで配置されるように形成され、前記４組のツイストペア線がそれぞれ前記ハウジングの内面と前記ガイドプレートとの間に収容されるように構成されていることを特徴とする。
【００１５】
また、前記ガイドプレートには、上下左右に溝部が形成され、該各溝部はそれぞれ隔壁により分離されている。
【００１６】
さらに、前記隔壁は前記各ツイストペア線を前記ハウジングの内面側に押し広げるように形成されている。
【００１７】
さらにまた、前記隔壁は、その先端側角部により前記各ツイストペア線を前記ハウジングの内面側に押し広げるように形成されている。
【００１８】
また、前記貫通孔の基端側には、前記ツイストペア線を前記貫通孔の直近まで撚りを解かずに保持可能な拡幅部が形成されている。
【００１９】
このような構成により、近端クロストークを低減させることができ、その減衰量を所定範囲内に保持することが可能となる。
【００２０】
【発明の実施の形態】
以下、図面を参照しつつ、本発明の実施の形態を説明する。
【００２１】
図１〜図１５は本発明の実施の形態に係るモジュラープラグの一例を示しており、この例では、モジュラープラグ２１が、４組のツイストペア線２２Ａ，２２Ｂ，２２Ｃ，２２Ｄからなるケーブル２３の各電線２４ａ，２４ａ’，２４ｂ，２４ｂ’，２４ｃ，２４ｃ’，２４ｄ，２４ｄ’を結線させるために用いられる。
【００２２】
前記モジュラープラグ２１は、基端側に嵌合凹部２５が形成された絶縁ハウジング２６と、前記嵌合凹部２５内にそれぞれ嵌設される整列部材２７、ガイドプレート２８、及びクランプ金具２９と、前記絶縁ハウジング２６の先端部で前記４組ツイストペア線２２Ａ，２２Ｂ，２２Ｃ，２２Ｄの撚りを解かれた８本の電線２４ａ，２４ａ’，２４ｂ，２４ｂ’，２４ｃ，２４ｃ’，２４ｄ，２４ｄ’に接続される長短２種類の端子３０，３１とから概略構成されている。
【００２３】
前記絶縁ハウジング２６の先端部には、上面側にロック部３２が基端方向に向かって斜め上方に延出形成され、下面側に８個のスリット孔３３が並列に穿設されている。また、前記絶縁ハウジング２６の下面側中央部分には段差部３４が形成され、該段差部３４の直近基端側に凹部３５が２個形成され、該凹部３５にそれぞれ係止突起３６が形成されている。
【００２４】
図４は前記整列部材２７を基端側から見た正面図であり、図５はその平面図、図６は図４のＢ−Ｂ断面図である。前記整列部材２７は、それらの図４〜図６によく示されているように、電線保持部３７と、該電線保持部３７の両側部分から先端方向に延出するガイド部３８と、前記電線保持部３７の基端側に形成されたツイストペア線保持部３９とを備え、該ツイストペア線保持部３９の両側下部には基端方向に位置決め突起４０が突設されている。前記電線保持部には貫通孔４１が穿設され、該貫通孔４１は８個の丸孔４２ａ，４２ｂ，４２ｃ，４２ｄ，４２ｅ，４２ｆ，４２ｇ，４２ｈを横方向に連設させて形成され、該８個の丸孔４２ａ，４２ｂ，４２ｃ，４２ｄ，４２ｅ，４２ｆ，４２ｇ，４２ｈにはそれぞれ、前記８本の電線２４ａ，２４ａ’，２４ｂ，２４ｂ’，２４ｃ，２４ｃ’，２４ｄ，２４ｄ’が挿通可能となっている。また、前記丸孔４２ａ，４２ｂ，４２ｃ，４２ｄ，４２ｅ，４２ｆ，４２ｇ，４２ｈは複数段、例えば、上下２段に配置され、少なくとも、それぞれ隣接する前記丸孔４２ｂと４２ｃ、及び前記４２ｆと４２ｇは異なる段に配置され、さらに、前記丸孔４２ｃ，４２ｄ，４２ｅ，４２ｆはそれぞれ同一の段に並んで配置されるようになっている。そのため、この例では、前記各丸孔４２ａ，４２ｂ，４２ｃ，４２ｄ，４２ｅ，４２ｆ，４２ｇ，４２ｈは、図７に示されているように、両側の４個の丸孔４２ａ，４２ｂ，４２ｇ，４２ｈが下段に配置され、中央部の４個の丸孔４２ｃ，４２ｄ，４２ｅ，４２ｆが上段に配置されるようになっている。
【００２５】
また、前記貫通孔４１の基端側は傾斜面４４によって全周に亘り拡幅され、前記ツイストペア線保持部３９に拡幅部４５が形成されている。この結果、前記各ツイストペア線２２Ａ，２２Ｂ，２２Ｃ，２２Ｄは前記貫通孔４１の直近まで撚りを解かない状態で前記拡幅部４５に保持されることができるので、近端クロストークを低減することができる。
【００２６】
図８は前記ガイドプレート２８を基端側から見た正面図であり、図９はその平面図、図１０はその背面図、図１１は図８のＣ−Ｃ断面図である。前記ガイドプレート２８には、それらの図８〜図１１によく示されているように、上面及び下面側からそれぞれ上側溝部４６、下側溝部４７が形成され、前記上側溝部４６と前記下側溝部４７とは水平隔壁４８により分離されている。また、前記ガイドプレート２８には、右側面及び左側面からそれぞれ右側溝部４９、左側溝部５０が形成され、前記右側溝部４９と前記上側及び下側溝部４６，４７とは右側垂直隔壁５１により分離され、前記左側溝部５０と前記上側及び下側溝部４６，４７とは左側垂直隔壁５２により分離されている。すなわち、前記上側溝部４６、下側溝部４７、右側溝部４９、及び左側溝部５０はそれぞれ、前記水平隔壁４８、右側垂直隔壁５１、及び左側垂直隔壁５２により上下左右に分離されるようになっており、前記右側溝部４９と前記左側溝部５０間の距離は、前記上側溝部４６と前記下側溝部４７間の距離に比べて大きく離れている。さらに、前記水平隔壁４８の先端側の上側及び下側角部５３，５４（図２参照）、及び前記右側及び左側垂直隔壁５１，５２の先端側の外側角部５５，５６（図３参照）はそれぞれ、前記各ツイストペア線２２Ａ，２２Ｂ，２２Ｃ，２２Ｄを前記整列部材２７になるべく近い位置で前記絶縁ハウジング２６の内面側に押し広げ、該絶縁ハウジング２６内の空間５７一杯に広げるように形成されている。なお、前記水平隔壁４８及び前記各垂直隔壁５１，５２の厚みを変更することにより、前記各ツイストぺエア線２２Ａ，２２Ｂ，２２Ｃ，２２Ｄを前記絶縁ハウジング２６の内面側に押し付ける度合いを調整できるようになっている。また、前記ガイドプレート２８には、先端側下部の両側に丸溝５８が形成され、基端側上部の両側に角溝５９が形成されている。なお、この例では、前記右側及び左側溝部４９，５０は先端方向に向かって上方に傾斜して形成されているが、水平に形成されていてもよい。
【００２７】
前記クランプ金具２９は、コの字状のハウジング固定部６０と、該ハウジング固定部６０の基端側に設けられたＵ字状のケーブル固定部６１とから構成されている。前記ハウジング固定部６０には、基端方向に向かって前記角溝５９に係合可能な係合突起６２が延出し、さらに、下面に前記係止突起３６が係止可能な係止凹部６３が形成されている。
【００２８】
次に、前記モジュラープラグ２１の組立て手順を説明する。
【００２９】
先ず、前記係合突起６２を前記角溝５９に係合させ、前記クランプ金具２９を前記ガイドプレート２８に連結し、前記クランプ金具２９のケーブル固定部６１でクランプすることにより、前記ケーブル２３を保持する。そして、前記４組のツイストペア線２２Ａ，２２Ｂ，２２Ｃ，２２Ｄを撚った状態のまま前記ガイドプレート２８の左右溝部５０，４９と上下溝部４６，４７により分離させ、且つ、前記ツイストペア線２２Ａ，２２Ｂ，２２Ｃ，２２Ｄを前記整列部材２７の拡幅部４５に保持させると共に、その先端部の撚りを解かれた前記８本の電線２４ａ，２４ａ’，２４ｂ，２４ｃ，２４ｃ’，２４ｂ’，２４ｄ，２４ｄ’を前記整列部材２７の貫通孔４１の各丸孔４２ａ，４２ｂ，４２ｃ，４２ｄ，４２ｅ，４２ｆ，４２ｇ，４２ｈにそれぞれ挿通させ、保持させる。このように、前記各ツイストペア線２２Ａ，２２Ｂ，２２Ｃ，２２Ｄは前記貫通孔４１の直近まで撚りを解かない状態で前記拡幅部４５により保持されるので、近端クロストークを低減することができる。
【００３０】
前記整列部材２７のツイストペア線保持部３９に前記ツイストペア線２２Ａ，２２Ｂ，２２Ｃ，２２Ｄを保持させた状態で、基端側から前記整列部材２７の位置決め突起４０に前記ガイドプレート２８の丸溝５８を嵌合し、該ガイドプレート２８を前記整列部材２７に連結する。そして、前記４組のツイストペア線２２Ａ，２２Ｂ，２２Ｃ，２２Ｄを前記右側溝部４９、上側溝部４６、下側溝部４７、左側溝部５０にそれぞれ嵌設させると、前記ツイストペア線２２Ａ，２２Ｂ，２２Ｃ，２２Ｄは前記外側角部５５、上側角部５３、下側角部５４、外側角部５６により前記整列部材２７になるべく近い位置でそれぞれ前記絶縁ハウジング２６の内面側に押し広げられ、前記空間５７一杯に広げられる。これにより、前記各ツイストペア線２２Ａ，２２Ｂ，２２Ｃ，２２Ｄは前記水平隔壁４８、右側及び左側垂直隔壁５１，５２によりそれぞれお互いから分離されると共に離間されるので、近端クロストークの減衰量を所定範囲内に保持することができる。
【００３１】
その後、このように前記４組のツイストペア線２２Ａ，２２Ｂ，２２Ｃ，２２Ｄを保持した前記整列部材２７及びガイドプレート２８を、前記クランプ金具２９と共に前記絶縁ハウジング２６の嵌合凹部２５内に挿入し、前記係止突起３６を前記係止凹部６３に係止させることにより前記絶縁ハウジング２６に固定する。そして、前記スリット孔３３を介して下方から前記各端子３０，３１を挿入し、前記各電線２４ａ，２４ａ’，２４ｂ，２４ｂ’，２４ｃ，２４ｃ’，２４ｄ，２４ｄ’に接続する。この時、前記上段の丸孔４２ｃ，４２ｄ，４２ｅ，４２ｆに保持された電線２４ｂ，２４ｃ，２４ｃ’，２４ｂ’に対しては長い端子３０を使用し、前記下段の丸孔４２ａ，４２ｂ，４２ｇ，４２ｈに保持された電線２４ａ，２４ａ’，２４ｄ，２４ｄ’に対しては短い端子３１を使用する。
【００３２】
なお、前記各丸孔４２ａ，４２ｂ，４２ｃ，４２ｄ，４２ｅ，４２ｆ，４２ｇ，４２ｈの配置は、上記した配置に限定されるものではなく、各種の変更が可能である。例えば、図１２〜図１５に示されているように、丸孔４２ａ，４２ｃ，４２ｄ，４２ｅ，４２ｆ，４２ｈを上段とし、丸孔４２ｂ、４２ｇを下段とする配置（図１２参照）、丸孔４２ａ，４２ｂ，４２ｇ，４２ｈを上段とし、丸孔４２ｃ，４２９ｄ，４２ｅ，４２ｆを下段とする配置（図１３参照）、丸孔４２ｂ，４２ｇを上段とし、丸孔４２ａ，４２ｃ，４２ｄ，４２ｅ，４２ｆ，４２ｈを下段とする配置（図１４参照）、或いは、前記丸孔を３段に渡って設け、丸孔４２ｂを上段、丸孔４２ａ，４２ｃ，４２ｄ，４２ｅ，４２ｆ，４２ｈを中段とし、丸孔４２ｇを下段とする配置（図１５参照）等、他の配置としてもよい。そして、このように前記各丸孔の配置を変更した場合、前記整列部材２７には前記各丸孔の配置に対応した貫通孔が穿設される。
【００３３】
また、上記説明では、４組のツイストペア線２２Ａ，２２Ｂ，２２Ｃ，２２Ｄからなるケーブル２３を結線する場合について説明したが、本発明は、２組、３組又は５組以上のツイストペア線を結線する場合においても実施可能であることは言う迄もない。
【００３４】
【発明の効果】
以上述べた如く本発明によれば、各ツイストペア線をガイドプレートにより分離させると共にハウジングの内面とガイドプレートとの間に収容することができ、電線の保持位置の直近まで撚りを解かない状態でツイストペア線を保持することができるので、近接クロストークを確実に低減でき、その減衰量を所定範囲内に保つことができる。
【図面の簡単な説明】
【図１】本発明の実施の形態に係るモジュラープラグを示す斜視図である。
【図２】本発明の実施の形態を示す断面図である。
【図３】図２のＡ−Ａ断面図である。
【図４】本発明の実施の形態における整列部材を示す正面図である。
【図５】本発明の実施の形態における整列部材を示す平面図である。
【図６】図４のＢ−Ｂ断面図である。
【図７】本発明の実施の形態に係るモジュラープラグの正面図である。
【図８】本発明の実施の形態におけるガイドプレートを示す正面図である。
【図９】本発明の実施の形態におけるガイドプレートを示す平面図である。
【図１０】本発明の実施の形態におけるガイドプレートを示す背面図である。
【図１１】図８のＣ−Ｃ断面図である。
【図１２】本発明の実施の形態における整列部材の丸孔の他の配置例を示す正面図である。
【図１３】本発明の実施の形態における整列部材の丸孔の他の配置例を示す正面図である。
【図１４】本発明の実施の形態における整列部材の丸孔の他の配置例を示す正面図である。
【図１５】本発明の実施の形態における整列部材の丸孔の他の配置例を示す正面図である。
【図１６】従来例を示す斜視図である。
【図１７】従来例を示す破断面図である。
【符号の説明】
２１　　　　　モジュラープラグ
２２　　　　　ツイストペア線
２４　　　　　電線
２６　　　　　絶縁ハウジング
２７　　　　　整列部材
２８　　　　　ガイドプレート
３０　　　　　端子
３１　　　　　端子
４１　　　　　貫通孔
４５　　　　　拡幅部
４８　　　　　水平隔壁
５１　　　　　右側垂直隔壁
５２　　　　　左側垂直隔壁
５７　　　　　空間
【図１】
2004031130.tif 000003
【図２】
2004031130.tif 000004
【図３】
2004031130.tif 000005
【図４】
2004031130.tif 000006
【図５】
2004031130.tif 000007
【図６】
2004031130.tif 000008
【図７】
2004031130.tif 000009
【図８】
2004031130.tif 000010
【図９】
2004031130.tif 000011
【図１０】
2004031130.tif 000012
【図１１】
2004031130.tif 000013
【図１２】
2004031130.tif 000014
【図１３】
2004031130.tif 000015
【図１４】
2004031130.tif 000016
【図１５】
2004031130.tif 000017
【図１６】
2004031130.tif 000018
【図１７】
2004031130.tif 000019